(57)【要約】【課題】配線ケーブルの同一性を容易かつ確実に確認できる、識別方法及びその装置を提供する。【解決手段】両端にジャック３が設けられた複数の配線ケーブル４を予め決められたルート上で配線し、前記配線ケーブル４の一方又は他方のジャック３を一つのラック２のポート１に取り付ける際に、当該配線ケーブル４の一方の片端のジャック３にＬＥＤ５を設けた親機７のプラグ６を接続し、他方の片端のジャック３に電源内蔵の子機１０のプラグ９を接続し、前記子機１０の電源からの給電により前記親機７のＬＥＤ５が点灯表示することにより配線ケーブル４の同一性を識別する。【選択図】      図１
2014086374.tif 000002
【特許請求の範囲】
【請求項１】
両端にジャックが設けられた複数の配線ケーブルを予め決められたルート上で配線し、前記配線ケーブルの一方又は他方のジャックを一つのラック等のポートに取り付ける際に、
当該配線ケーブルの一方の片端のジャックに表示部材を設けた親機のプラグを接続し、他方の片端のジャックに電源を有する子機のプラグを接続し、
前記子機の電源からの給電により前記親機の表示部材が表示することにより配線ケーブルの同一性を識別することを特徴とする、配線ケーブルの端末における識別方法。
【請求項２】
両端にジャックが設けられた複数の配線ケーブルを予め決められたルート上で配線し、前記配線ケーブルの一方又は他方のジャックを一つのラック等のポートに取り付ける際に、
当該配線ケーブルの一方の片端のジャックに、表示部材及び電源を備えた親機のプラグを接続し、他方の片端のジャックに、抵抗を接続した子機のプラグを接続するか又は作業者の指を差し込むことにより、
前記子機の抵抗又は人体の抵抗を介して前記親機の電源と表示部材とが導通し、当該電源からの給電により表示部材が表示することにより当該配線ケーブルの同一性を識別することを特徴とする、配線ケーブルの端末における識別方法。
【請求項３】
前記表示部材は発光ダイオードであることを特徴とする、請求項１又は２に記載の配線ケーブルの端末における識別方法。
【請求項４】
表示部材とプラグを設けた親機と、電源とプラグとを有する子機とから成り、
両端にジャックが設けられた複数の配線ケーブルを予め決められたルート上で配線し、前記配線ケーブルの一方又は他方のジャックを一つのラックのポートに取り付ける際に、
当該配線ケーブルの一方の片端のジャックに前記親機のプラグを接続し、他方の片端のジャックに前記子機のプラグを接続することにより、前記子機の電源からの給電により前記親機の表示部材が表示することにより当該配線ケーブルの同一性を識別する構成としたことを特徴とする、配線ケーブルの端末における識別装置。
【請求項５】
表示部材、電源及びプラグを設けた親機と、予め内部の１組の対の回線を抵抗を介して接続した、プラグを有する子機とから成り、
両端にジャックが設けられた複数の配線ケーブルを予め決められたルート上で配線し、前記配線ケーブルの一方又は他方のジャックを一つのラックのポートに取り付ける際に、
当該配線ケーブルの一方の片端のジャックに前記親機のプラグを接続し、他方の片端のジャックに前記子機のプラグを接続することにより、前記子機の抵抗を介して前記親機の電源と表示部材とが導通し、当該電源からの給電により表示部材が表示することにより当該配線ケーブルの同一性を識別する構成としたことを特徴とする、配線ケーブルの端末における識別装置。
【請求項６】
前記表示部材は発光ダイオードであることを特徴とする、請求項４又は５に記載の配線ケーブルの端末における識別装置。
【発明の詳細な説明】
【技術分野】
【０００１】
この発明は、データセンタ等における複数のＬＡＮケーブル等の配線工事におけるケーブルの端子接続に際し、当該各配線ケーブルの他端の端子を正確な位置に取り付けるための、配線ケーブルの端末における識別方法及びその装置に関するものである。
【背景技術】
【０００２】
従来、ＬＡＮケーブルの端末処理では、沢山のケーブルの行く先に間違えがないように、ケーブルの各端部を１本ずつ蝋引き糸や銅線で編んでいき、数本のケーブルの端部を束にした「編組」の処理を行い、それぞれのケーブルを識別していた。この作業は、使用するお客様の設備機器の形態に合わせて、ケーブルの接続先を設計図面と照らし合わせながら慎重・確実に行う必要があるため、作業者には注意力と集中力が必要とされていた。
【０００３】
前記の編組処理には熟練の技能が求められる上、編組をＬＡＮケーブルの両端に組み込まなければならないため、経験の浅い作業者には手間と時間がかかる作業であった。
【０００４】
また、データセンタ等配線ルート上の既設ケーブルが輻輳している場合や、ケーブルピットや引込口が狭い場合には、編組が幅をとってしまい配線作業の支障となっていた。これらのケースでは、編組を緩めてケーブルを１本ずつ長手方向にずらして通線した後に、複数のケーブル先端をそれぞれ揃えて、再度編組を整える必要があり、特にケーブル本数が多いときには、非常に効率の悪い作業であった。
【０００５】
さらに、前記ＬＡＮケーブルの両端の端子を取り付けるラック同士が離れている場合や、ラック設置のフロアが異なる場合など、配線ルートが長い場合には、編組がほどけないように編組の状態を気にしながらケーブル配線を行う必要があり、このことはスムーズな作業の妨げとなっていた。このため、編組を使わずに、沢山のケーブル配線の行く先をそれぞれ迅速かつ確実に見つけて、正確に接続可能な方法・治具の開発が求められていた。
【０００６】
特許文献１には、各種端末装置がモジュラパネルを介してネットワーク接続機器に接続されるデータ通信ネットワークシステムにおけるモジュラパネルにおいて、各種端末装置への接続用の配線ケーブルを接続可能な複数の第１のモジュラジャックと、前記各第１のモジュラジャックに対応してそれぞれ設けられて対応する第１のモジュラジャックにそれぞれ電気的に接続され、前記ネットワーク接続機器への接続用のパッチケーブルをそれぞれ接続可能な複数の第２モジュラジャックと、前記各第１のモジュラジャックの所定の端子にそれぞれ電気的に接続されてそれら第１のモジュラジャックに対応する前記第２のモジュラジャック近傍位置に設けられ、前記配線ケーブルを介した前記各第１のモジュラジャックの所定の端子への給電によりそれぞれ点灯駆動される複数の発光部を備えたモジュラパネルが開示されている。
【０００７】
そして、前記配線ケーブルの端末装置側のモジュラジャックに接続可能な接続プラグ部と、前記接続プラグ部に電気的に接続されてその接続プラグ部が前記配線ケーブルに接続された状態で前記第１のモジュラジャックの所定の端子に給電する給電部とを備えたチェックアダプタを備え、当該チェックアダプタを前記配線ケーブルの端末装置側のモジュラジャックに接続するだけで、その配線ケーブルに対応する発光部への給電が容易に行え、これにより正確な配線接続が行えるものである。
【０００８】
【特許文献１】特開２００１−９５０２１号公報
【発明の開示】
【発明が解決しようとする課題】
【０００９】
前記特許文献１のものは、発光部を有するモジュラパネルを予め用意したものであり、このようなモジュラパネルに用途が限定されている。一般的なＬＡＮケーブルの両端のジャックをラック等のポートに取り付ける際の配線ケーブルの同一性を識別するものではない。
【００１０】
本発明は、この従来技術を踏まえて発明されたものであり、ＬＡＮケーブル等の複数の配線ケーブルを所定のルートに沿って配線した後、当該配線ケーブルの端末をラック等の所定のポートに取り付ける際、当該配線ケーブルの同一性を容易かつ確実に確認できる、識別方法及びその装置を提供するものである。
【課題を解決するための手段】
【００１１】
請求項１の発明は、両端にジャックが設けられた複数の配線ケーブルを予め決められたルート上で配線し、前記配線ケーブルの一方又は他方のジャックを一つのラック等のポートに取り付ける際に、当該配線ケーブルの一方の片端のジャックに表示部材を設けた親機のプラグを接続し、他方の片端のジャックに電源を有する子機のプラグを接続し、前記子機の電源からの給電により前記親機の表示部材が表示することにより配線ケーブルの同一性を識別する、配線ケーブルの端末における識別方法とした。
【００１２】
請求項２の発明は、両端にジャックが設けられた複数の配線ケーブルを予め決められたルート上で配線し、前記配線ケーブルの一方又は他方のジャックを一つのラック等のポートに取り付ける際に、当該配線ケーブルの一方の片端のジャックに、表示部材及び電源を備えた親機のプラグを接続し、他方の片端のジャックに、抵抗を接続した子機のプラグを接続するか又は作業者の指を差し込むことにより、前記子機の抵抗又は人体の抵抗を介して前記親機の電源と表示部材とが導通し、当該電源からの給電により表示部材が表示することにより当該配線ケーブルの同一性を識別する、配線ケーブルの端末における識別方法とした。
【００１３】
また、請求項３の発明は、請求項１又は２の発明において、前記表示部材は発光ダイオードとした。
【００１４】
また、請求項４の発明は、表示部材とプラグを設けた親機と、電源とプラグとを有する子機とから成り、両端にジャックが設けられた複数の配線ケーブルを予め決められたルート上で配線し、前記配線ケーブルの一方又は他方のジャックを一つのラック等のポートに取り付ける際に、当該配線ケーブルの一方の片端のジャックに前記親機のプラグを接続し、他方の片端のジャックに前記子機のプラグを接続することにより、前記子機の電源からの給電により前記親機の表示部材が表示することにより当該配線ケーブルの同一性を識別する構成とした、配線ケーブルの端末における識別装置とした。
【００１５】
また、請求項５の発明は、表示部材、電源及びプラグを設けた親機と、予め内部の１組の対の回線を抵抗を介して接続した、プラグを有する子機とから成り、両端にジャックが設けられた複数の配線ケーブルを予め決められたルート上で配線し、前記配線ケーブルの一方又は他方のジャックを一つのラックのポートに取り付ける際に、当該配線ケーブルの一方の片端のジャックに前記親機のプラグを接続し、他方の片端のジャックに前記子機のプラグを接続することにより、前記子機の抵抗を介して前記親機の電源と表示部材とが導通し、当該電源からの給電により表示部材が表示することにより当該配線ケーブルの同一性を識別する構成とした、配線ケーブルの端末における識別装置とした。
【００１６】
また、請求項６の発明は、請求項４又は５の発明において、表示部材は発光ダイオードとした。
【発明の効果】
【００１７】
請求項１〜６の各発明によれば、両端にジャックが設けられた複数の配線ケーブルを予め決められたルート上で配線し、前記配線ケーブルの一方又は他方のジャックを一つのラック等のポートに取り付ける際、これらの各配線ケーブルの両端に親機と子機を接続して親機が表示されることにより各配線ケーブルの同一性を検知する。従って、既設ケーブルが輻輳している場合、ケーブルビットや引込口が狭い場合、ケーブル本数が多い場合、配線ルートが長い場合、ケーブルの両端の端子を取り付けるラック等が離れていたり、フロアが異なる場合においても、編組を使わずに、たくさんの配線ケーブルの配線の行く先を迅速かつ確実に見つけて、正確に端末接続が可能である。また、この方法又は装置を用いれば、熟練の作業者でなくても、効率よく確実な配線ケーブルの配線と接続が可能である。また、請求項１、２、４及び５の発明の表示部材は、光や音若しくはこれらの双方でする表示を含み、現場に合わせて表示部材の種類を変えることができる。
【００１８】
特に、請求項３及び６の発明では、表示部材に発光ダイオードを用いるため、発光ダイオードの色やブーツ（支持カバー）の色を適宜変えることにより、多数の配線ケーブルの中から、特定の配線ケーブルを容易に識別することができる。
【図面の簡単な説明】
【００１９】
【図１】この発明の実施の形態例１の概略構成図である。
【図２】この発明の実施の形態例１に使用するＬＡＮケーブル、親機及び子機の概略斜視図である。
【図３】この発明の実施の形態例１に使用する親機の構成図である。
【図４】この発明の実施の形態例１に使用する子機の構成図である。
【図５】この発明の実施の形態例１に使用するＬＡＮケーブルに接続する親機と子機の回路図である。
【図６】この発明の実施の形態例２に使用する親機の構成図である。
【図７】この発明の実施の形態例２に使用する子機の構成図である。
【図８】この発明の実施の形態例２に使用するＬＡＮケーブルに接続する親機と子機の回路図である。
【図９】この発明の実施の形態例１及び２に使用する複数の親機又は子機を挟持、固定する連結アジャスターの説明構成図である。
【発明を実施するための形態】
【００２０】
（実施の形態例１）
以下、この発明の実施の形態例１を図に基づいて説明する。
【００２１】
図１及び２に示すように、多数のポート１を並べたパネルＡと、当該パネルＡの下方に、多数のポート１を並べたパネルＢを備えたラック２において、両端にジャック３が設けられた多数のＬＡＮケーブル４の、各一方のジャック３を前記パネルＡの所定の空きポート１に夫々接続し、当該多数の各ＬＡＮケーブル４の他端を予め決められたルート上で配線し、前記各ＬＡＮケーブル４の他端のジャック３を、前記パネルＢの所定のポート１に接続するに際して、各ＬＡＮケーブル４の他端のジャック３を前記パネルＡのポート１に対応するパネルＢのポート１に接続するため、当該他端のジャック３を有するＬＡＮケーブル４が、前記パネルＡのどのジャック３のものかを識別する必要がある。
【００２２】
そこで、上記パネルＡのポート１に取り付けた一方のジャック３に、ＬＥＤ５を表示部材として一端に設け、他端にプラグ６を設けた親機７を接続しておき、前記他方のジャック３に、電源部８とプラグ９を接続した子機１０を接続し、一方のジャック３と他方のジャック３とが同一のＬＡＮケーブル４の両端のジャックであれば、前記子機１０の電源部８から前記親機７のＬＥＤ５に給電され、当該ＬＥＤ５が点灯する。これにより、前記他方のジャック３をパネルＢの、パネルＡのポート１に対応するポート１に接続することが出来る。
【００２３】
また、前記ＬＥＤ５が点灯しなければ、当該他方のジャック３は、他のＬＥＤ５とつながったジャック３であることが分かり、多数の他のジャック３に前記子機１０を順に接続していく。このようにして、子機１０をＬＡＮケーブル４の他方のジャック３に接続した際、ＬＡＮケーブル４の一方のジャック３に接続した親機７のＬＥＤ５が点灯するかどうかで、ＬＡＮケーブル４の両端の同一性を識別する。
【００２４】
なお、図１の（Ａ）図はパネルＡとパネルＢとが同一のラック２に設けられている場合を示し、（Ｂ）図はパネルＡとパネルＢとが異なるラック２、２に設けられている場合を示す。また、これらの異なるラック２、２は異なるフロアに設けられている場合もある。また、ラック２に限らず、多数のＬＡＮケーブルの一端のジャックを配置した接続装置にも適用できる。
【００２５】
前記親機７は、図３に示すように、従来からＬＡＮケーブルに使用されているＲＪ４５型のプラグ６の一端から、ＬＥＤ５の各リード線５ａを挿入し、リード線５ａをプラグ６の端子に圧接させ、これらを電気的に接続したもので、前記ＬＥＤ５の側面周囲にブーツ１１を被覆したものである。また、前記二つのリード線５ａの一部外周に樹脂チューブ１２を被せ、このチューブ１２ごとプラグ６の中に圧入し、抜け止め用爪１３による抜け止め機能を強化している。図３の（Ａ）図は、ブーツ１１を取った断面図であり、（Ｂ）図はブーツ１１をつけた一部断面図であり、（Ｃ）図はＬＥＤ５側の正面図、（Ｄ）図はプラグ６の端子側の背面図である。
【００２６】
また、前記子機１０は、図４に示すように、電源部８の両端子と接続された各リード線８ａの先端を、従来からＬＡＮケーブルに使用されているＲＪ４５型のプラグ９の一端から挿入し、各リード線８ａをプラグ９の端子に圧接させて、これらを電気的に接続している。図４の（Ａ）図は子機１０の一部断面斜視図、（Ｂ）図は、電源部８の内部構成を示す回路図である。電源部８の内部には、電池８ｂと直列に抵抗器１４を接続している。
【００２７】
また、図５は前記ＬＡＮケーブル４の両端のジャック３、３に親機７と子機１０を接続した際の回路図を示し、この様に各ジャック３に親機７及び子機１０を接続すると閉回路となり、電源部８の電池８ｂから抵抗器１４及びＬＡＮケーブル４を通って親機７のＬＥＤ５が通電され、点灯する構成となっている。
【００２８】
（実施の形態例２）
実施の形態例２の発明は、実施の形態例１とほぼ同じ構成であるが、図６に示すように、親機１５はＬＥＤ５及び電源部１６を具備し、他端にプラグ１７を設けたもので、ＬＥＤ５の周囲にはブーツ１８を被せてある。また、前記ＬＥＤ５及び電源部１６のリード線をプラグ１７の端子に接続したものである。また、子機１９には、図７に示すように、プラグ２０の他端に、一組の対の回線をつなぐ抵抗器２１を設け、当該抵抗器２１の外周は樹脂チューブ２２で被覆し、前記一組の回線をプラグ２０の端子に接続したものである。
【００２９】
これらの使用方法及び作用は、前記実施の形態例１と同じである。図８は前記ＬＡＮケーブル４の両端のジャック３、３に親機１５のプラグ１７と子機１９のプラグ２０を接続した際の回路図を示し、この様に各ジャック３に親機１５及び子機１９を接続すると各回線が閉回路となり、親機１５の電源部１６からＬＡＮケーブル４を通って子機１９の抵抗器２１を通り、ＬＡＮケーブル４を通って親機１５のＬＥＤ５に通電され、点灯する構成となっている。
【００３０】
また、この様な親機１５を用いた場合、ＬＡＮケーブル４の他端のジャック３内に作業者の指を入れて、端子まで指が達すると、当該作業者の指が抵抗器となり、当該指を通して通電され、ＬＥＤ５が点灯する。従って、ジャック３に子機１９を接続しなくても良い。
【００３１】
また、上記の実施の形態例では、親機７又は１５や子機１０又は１９を一個一個ＬＡＮケーブル４の両端のジャック３に接続して検査しているが、これに代えて、一度に複数の親機７又は１５や子機１０又は１９を、パネルＡ又はＢに並べたジャック３に接続することが出来る連結アジャスター２５を設けても良い。
【００３２】
当該連結アジャスター２５は、図９に示すように、パネルＡ又はＢのポート１に並んだジャック３の間隔に合わせて、複数の親機７又は１５、或いは子機１０又は１９を連結アジャスター２５で把持、固定し、一度に複数の各ジャック３に複数の親機７又は１５、或いは子機１０又は１９を接続することが出来る。図９の（Ａ）図は、親機７又は１５、或いは子機１０又は１９の連結アジャスター２５への挟持構成図であり、（Ｂ）図は連結アジャスター２５に複数の子機１０又は１９を並べて挟持、固定した状態の構成図である。
【００３３】
当該連結アジャスター２５は、予め一端が支持片２６により支持された上方の把持腕２５ａと、前記支持片２６に一端が回転自在に支持された下方の把持腕２５ｂの間に複数の親機７又は１５、或いは子機１０又は１９を間隔を前記ジャック３の間隔に合わせて挿入し、２本の把持腕２５ａ、２５ｂの他端で、開閉片２７を閉じてこれらの複数の親機７又は１５、或いは子機１０又は１９を挟持、固定するものである。
【００３４】
さらに、挟持されるものが、複数の子機１０又は１９の場合、これらの各子機１０又は１９の各回線を開閉するスイッチを別途設け、当該スイッチを順に押すか、切り替えれば、各子機１０又は１９の回線毎に通電し、これに従って親機７又は１５のＬＥＤ５が点灯し、ＬＡＮケーブル４の同一性を識別できる。
【００３５】
なお、上記実施の形態例では、親機７又は１５に表示部材としてＬＥＤ（発光ダイオード）を設けているが、これに限らず、電球等の光による表示又はブザー等の音による表示、或いはこれらの組み合わせ等、適宜の表示部材が適用可能である。また、これらの表示部材は、点灯、点滅、音の場合は、オン、又はオンオフにより表示する構成としても良い。また、この発明はＬＡＮケーブルに限らず、他の配線ケーブルにも適用できる。
【符号の説明】
【００３６】
Ａ      パネル                  Ｂ      パネル
１      ポート                  ２      ラック
３      ジャック                ４      ＬＡＮケーブル
５      ＬＥＤ                  ５ａ    リード線
６      プラグ                  ７      親機
８      電源部                  ８ａ    リード線
８ｂ    電池                    ９      プラグ  
１０    子機                    １１    ブーツ  
１２    樹脂チューブ            １３    抜け止め用爪
１４    抵抗器                  １５    親機
１６    電源部                  １７    プラグ
１８    ブーツ                  １９    子機  
２０    プラグ                  ２１    抵抗器  
２２    樹脂チューブ            ２５    連結アジャスター  
２５ａ  把持腕                  ２５ｂ  把持腕
２６    支持片                  ２７    開閉片
【図１】
2014086374.tif 000003
【図２】
2014086374.tif 000004
【図３】
2014086374.tif 000005
【図４】
2014086374.tif 000006
【図５】
2014086374.tif 000007
【図６】
2014086374.tif 000008
【図７】
2014086374.tif 000009
【図８】
2014086374.tif 000010
【図９】
2014086374.tif 000011